(57)【要約】【課題】  ユニットバスに容易に取り付けられるうえ、頭をのせて十分リラックスできるユニットバス専用枕を提供することを課題とする。【解決手段】ゴム引布５でコの字型のユニットバス専用枕１を形成し、ユニットバスに容易に取り付けられるように吸盤２を設ける。コの字型のユニットバス専用枕１は、首を入れて頭をのせることができるとともに、コの字型のユニットバス専用枕１の中には、プラスチック３を土台にし、ウレタン４を使用することによって、十分リラックスすることができる。【特許請求の範囲】
【請求項１】
ユニットバスに容易に取り付けられる吸盤を設けた風呂用防水枕。
【請求項２】
ポリエチレンを土台にして低反発ウレタンを入れたコの字型の防水枕を特徴とした請求項１記載の風呂用防水枕。
【請求項３】
人の好みや風呂に合わせ、樹脂、発泡スチロール、そば殻、もみ殻を入れられる丈夫な防水布を特徴とした請求項１記載の風呂用防水枕。
【発明の詳細な説明】
【技術分野】
【０００１】  本発明は、家庭やホテル、マンションのユニットバスで使用する風呂用防水枕に関する。
【背景技術】
【０００２】  高価な浴槽の中には、最初から頭をのせられる形をした浴槽が少しは出てきている。また、金具の付いた風呂用枕は発明されているが、ユニットバスで使用できる風呂用防水枕はほとんどない。（特許文献１参照）
【特許文献１】  特許公開平９−１４０６０９
【発明の開示】
【発明が解決しようとする課題】
【０００３】  最近の家庭やホテル、マンションの風呂は、ユニットバスが多く、風呂用枕を金具で取り付けることは難しい。発明されている風呂用枕は、ユニットバスには取り付けが困難なうえ、頭を十分リラックスできるとは言えない。そこで、この発明は、ユニットバスに容易に取り付け、頭をのせて十分リラックスできる風呂用防水枕を提供することを課題とする。
【課題を解決するための手段】
【０００４】  以上の課題を解決するために、第一発明は、ユニットバスに容易に取り付けられる吸盤を設けたことを特徴とする風呂用防水枕である。また、第二発明は、コの字型の防水布の中にポリエチレンを土台とし、低反発ウレタンを用いたことを特徴とする風呂用防水枕である。
【発明の効果】
【０００５】  上述したように、本発明の風呂用防水枕は、一般家庭だけでなく、ホテルやマンションのユニットバスに容易に取り付けられる風呂用防水枕を提供できる。【０００６】  また、ポリエチレンを土台にし、低反発ウレタンを入れたコの字型の風呂用防水枕は、首を入れて頭をのせられるので、リラックスするのに効果的である。【０００７】  さらに、丈夫な防水布を用いることで、人の好みや風呂に合わせて様々な色や図柄を使用できるとともに、防水枕の中に、樹脂、発泡スチロール、そば殻、もみ殻を入れることができる。
【発明を実施するための最良の形態】
【０００８】  以下、本発明の実施形態を図１〜図３に基づいて示す。
【実施形態の効果】
この実施形態によれば、コの字型の枕であり、首を入れて頭をのせられるうえ、防水布の中にはポリエチレンを土台にし、低反発ウレタンを用いるのでリラックスするのに十分効果がある。
【図面の簡単な説明】
【０００９】
【図１】  本発明の実施形態を示す風呂用防水枕の斜視図
【図２】  同風呂用防水枕を真上から見た外観図
【図３】  同風呂用防水枕の図２におけるＡ−Ａ線断面図
【符号の説明】
【００１０】  １  防水布    ２  吸盤    ３  低反発ウレタン    ４  ポリエチレン
【図１】
2009095620.tif 000002
【図２】
2009095620.tif 000003
【図３】
2009095620.tif 000004
【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
ユニットバスに容易に取り付けられる吸盤を設けたユニットバス専用枕。
【請求項２】
プラスチックを土台にしてウレタンを入れたコの字型の防水枕を特徴とした請求項１記載のユニットバス専用枕。
【請求項３】
人の好みや風呂に合わせ、低反発ウレタン、合成ゴム、樹脂、発泡スチロール、そば殻、もみ殻を入れられる丈夫なゴム引布を特徴とした請求項１記載のユニットバス専用枕。
【手続補正２】
【補正対象書類名】明細書
【補正対象項目名】全文
【補正方法】変更
【補正の内容】
【発明の詳細な説明】
【技術分野】
【０００１】  本発明は、家庭やホテル、マンションのユニットバスで使用するユニットバス専用枕に関する。
【背景技術】
【０００２】  高価な浴槽の中には、最初から頭をのせられる形をした浴槽が少しは出てきている。また、金具の付いた風呂用枕は発明されているが、ユニットバスで使用できるユニットバス専用枕はほとんどない。（特許文献１参照）
【特許文献１】  特許公開平９−１４０６０９
【発明の開示】
【発明が解決しようとする課題】
【０００３】  最近の家庭やホテル、マンションの風呂は、ユニットバスが多く、風呂用枕を金具で取り付けることは難しい。発明されている風呂用枕は、ユニットバスには取り付けが困難なうえ、頭を十分リラックスできるとは言えない。そこで、この発明は、ユニットバスに容易に取り付け、頭をのせて十分リラックスできるユニットバス専用枕を提供することを課題とする。
【課題を解決するための手段】
【０００４】  以上の課題を解決するために、第一発明は、ユニットバスに容易に取り付けられる吸盤を設けたことを特徴とするユニットバス専用枕である。また、第二発明は、プラスチックを土台とし、ウレタンを入れたコの字型の枕を特徴とするユニットバス専用枕である。第三発明は、丈夫なゴム引布を特徴とするユニットバス専用枕である。
【発明の効果】
【０００５】  上述したように、本発明のユニットバス専用枕は吸盤を設けたので、一般家庭だけでなく、ホテルやマンションのユニットバスに容易に取り付けられるユニットバス専用枕を提供できる。【０００６】  また、プラスチックを土台にし、ウレタンを入れたコの字型のユニットバス専用枕は、首を入れて頭をのせられるので、リラックスするのに効果的である。【０００７】  さらに、丈夫なゴム引布を用いることで、人の好みや風呂に合わせて様々な色や図柄を使用できるとともに、ゴム引布の中に、低反発ウレタン、合成ゴム、樹脂、発泡スチロール、そば殻、もみ殻を入れることができる。
【発明を実施するための最良の形態】
【０００８】  以下、本発明の一実施形態を図１に示す。ユニットバス専用枕の本体は、コの字型であり、吸盤２を設けてある。以下、発明の実施形態は図１〜図５に基づいて示す。
【実施形態の効果】
この実施形態によれば、吸盤２を設けたコの字型の枕であり、ユニットバスの壁面に容易に取り付けることができる。また、コの字型のユニットバス専用枕１の中には、プラスチック３を土台にし、ウレタン４を用いているうえ、首を入れて頭をのせられるのでリラックスするのに十分効果がある。
【図面の簡単な説明】
【０００９】
【図１】本発明の実施形態を示すユニットバス専用枕の斜視図
【図２】同ユニットバス専用枕を真上から見た外観図
【図３】同ユニットバス専用枕の図２におけるＡ−Ａ線断面図
【図４】同ユニットバス専用枕の図２におけるＢ−Ｂ線断面図
【図５】同ユニットバス専用枕のユニットバス使用における斜視図
【符号の説明】
【００１０】１ユニットバス専用枕本体
２吸盤
３プラスチック
４ウレタン
５ゴム引布
【手続補正３】
【補正対象書類名】図面
【補正対象項目名】全図
【補正方法】変更
【補正の内容】
【図１】
2009095620.tif 000005
【図２】
2009095620.tif 000006
【図３】
2009095620.tif 000007
【図４】
2009095620.tif 000008
【図５】
2009095620.tif 000009